(57)【要約】【課題】小型でありながら、広角端での広い画角と高いズーミング比とをバランスよく備えた高性能なズームレンズ系、撮像装置及びカメラを提供する。【解決手段】物体側から像側へと順に、負パワーの第１レンズ群、正パワーの第２レンズ群、正パワーの第３レンズ群からなり、第１レンズ群が２枚のレンズ素子で、第２レンズ群が物体側から順に、両レンズ面が凸面の正のパワーを有するレンズ素子、正のパワーを有するレンズ素子、及び負のパワーを有するレンズ素子の３枚で、第３レンズ群が１枚のレンズ素子で構成され、条件３．０＜Ｔ２／ｆｗ＜４．０及びｆｔ／ｆｗ＞４．５（Ｔ２：第２レンズ群の移動量、ｆｗ：広角端での全系の焦点距離、ｆｔ：望遠端での全系の焦点距離）を満足するズームレンズ系、撮像装置及びカメラ。【選択図】図１
2011064933.tif 000002
【特許請求の範囲】
【請求項１】
物体側から像側へと順に、負のパワーを有する第１レンズ群と、正のパワーを有する第２レンズ群と、正のパワーを有する第３レンズ群とからなり、
前記第１レンズ群が、負のパワーを有するレンズ素子と正のパワーを有するレンズ素子で構成され、
前記第２レンズ群が、物体側から順に、両レンズ面が凸面の正のパワーを有するレンズ素子、正のパワーを有するレンズ素子と負のパワーを有するレンズ素子の接合レンズの３枚のレンズ素子で構成され、
前記第３レンズ群は、少なくとも１枚の正のパワーを有するレンズ素子で構成され、
以下の条件（１）を満足するズームレンズ系：
３．０＜Ｔ２／ｆｗ＜４．０  ・・・（１）
（ただし、Ｚ＝ｆｔ／ｆｗ＞４．５である）
ここで、
Ｔ２：第２レンズ群の移動量、
ｆｗ：広角端での全系の焦点距離、
ｆｔ：望遠端での全系の焦点距離、
である。
【請求項２】
以下の条件（２）を満足する、請求項１記載のズームレンズ系：
０．２８  ＜  １−β３ｔ×β３ｔ  ＜  ０．３７  ・・・（２）
ここで、
β３ｔ：望遠端での３群の横倍率
である。
【請求項３】
以下の条件（３）を満足する、請求項１記載のズームレンズ系：
０．６＜ＤＬ１／ｆｗ＜０．８  ・・・（３）
ここで、
ＤＬ１：第１レンズ群の最も物体側のレンズ面から最も像側のレンズ面までの距離、
ｆｗ：広角端での全系の焦点距離、
である。
【請求項４】
以下の条件（４）を満足する、請求項１記載のズームレンズ系：
６．６＜ＴＴ／ｆｗ＜７．５  ・・・（４）
ここで、
ＴＴ：望遠端での光学全長
ｆｗ：広角端での全系の焦点距離、
である。
【請求項５】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、負のパワーを有する第１レンズ群と、正のパワーを有する第２レンズ群と、正のパワーを有する第３レンズ群とからなり、
前記第１レンズ群が、負のパワーを有するレンズ素子と正のパワーを有するレンズ素子で構成され、
前記第２レンズ群が、物体側から順に、両レンズ面が凸面の正のパワーを有するレンズ素子、正のパワーを有するレンズ素子と負のパワーを有するレンズ素子の接合レンズの３枚のレンズ素子で構成され、
前記第３レンズ群は、少なくとも１枚の正のパワーを有するレンズ素子で構成され、
以下の条件（１）
３．０＜Ｔ２／ｆｗ＜４．０  ・・・（１）
（ただし、Ｚ＝ｆｔ／ｆｗ＞４．５である）
（ここで、
Ｔ２：第２レンズ群の移動量、
ｆｗ：広角端での全系の焦点距離、
ｆｔ：望遠端での全系の焦点距離、
である。）
を満足するズームレンズ系である、撮像装置。
【請求項６】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、負のパワーを有する第１レンズ群と、正のパワーを有する第２レンズ群と、正のパワーを有する第３レンズ群とからなり、
前記第１レンズ群が、負のパワーを有するレンズ素子と正のパワーを有するレンズ素子で構成され、
前記第２レンズ群が、物体側から順に、両レンズ面が凸面の正のパワーを有するレンズ素子、正のパワーを有するレンズ素子と負のパワーを有するレンズ素子の接合レンズの３枚のレンズ素子で構成され、
前記第３レンズ群は、少なくとも１枚の正のパワーを有するレンズ素子で構成され、
以下の条件（１）
３．０＜Ｔ２／ｆｗ＜４．０  ・・・（１）
（ただし、Ｚ＝ｆｔ／ｆｗ＞４．５）
（ここで、
Ｔ２：第２レンズ群の移動量、
ｆｗ：広角端での全系の焦点距離、
ｆｔ：望遠端での全系の焦点距離、
である。）
を満足するズームレンズ系である、カメラ。
【発明の詳細な説明】
【技術分野】
【０００１】
本発明は、ズームレンズ系、撮像装置及びカメラに関する。特に本発明は、小型でありながら、広角端での広い画角と高いズーミング比とをバランスよく備えた高性能なズームレンズ系、該ズームレンズ系を含む撮像装置、及び該撮像装置を備えた薄型でコンパクトなカメラに関する。
【背景技術】
【０００２】
デジタルスチルカメラやデジタルビデオカメラ等の、光電変換を行う撮像素子を持つカメラ（以下、単にデジタルカメラという）に対するコンパクト化及び高性能化の要求は極めて強い。特に、１台のデジタルカメラで、広角域から高望遠域までの広い焦点距離範囲をカバーすることができる、ズーミング比が高いズームレンズ系を搭載したカメラが、その利便性から強く要望されている。一方、近年では、撮影範囲が広い広角域を持つズームレンズ系も求められている。
【０００３】
前記のごとくズーミング比が高いズームレンズ系や、広角域を持つズームレンズ系として、従来、物体側から像側へと順に、負のパワーを有する第１レンズ群と、正のパワーを有する第２レンズ群と、正のパワーを有する第３レンズ群とが配置された、負正正の３群構成を有するズームレンズが種々提案されている。
【０００４】
特許文献１は、前記負正正の３群構成を有し、広角端から望遠端への変倍に際して、第１レンズ群、第２レンズ群、第３レンズ群が移動して各レンズ群間の間隔が変化し、第１レンズ群の焦点距離と、第２レンズ群の焦点距離と、広角端から望遠端への変倍における第２レンズ群の移動量との関係を規定したズームレンズを開示している。
【０００５】
特許文献２は、前記負正正の３群構成を有し、第１レンズ群が物体側より順に像側に強い凹面を向けた負レンズと正レンズの２枚からなり、第２レンズ群が物体側から正レンズと正レンズおよび負レンズを順に接合して構成したレンズ成分からなり、望遠端における第２レンズ群の横倍率を規定したズームレンズを開示している。
【０００６】
特許文献３は、前記負正正の３群構成を有し、広角端から望遠端への変倍に際して、第１レンズ群と第２レンズ群の間隔が減少し、第２レンズ群と第３レンズ群の間隔が増大し、
第２レンズ群を光軸に垂直な方向にシフトさせることにより、像シフトが可能であり、
望遠端におけるレンズ全長と、広角端におけるレンズ全長と、第１レンズ群の焦点距離と、望遠端におけるレンズ全系での焦点距離との関係を規定したズームレンズを開示している。
【０００７】
特許文献４は、前記負正正の３群構成を有し、広角端から望遠端への変倍に際して、第１レンズ群と第２レンズ群の間隔が減少し、第２レンズ群と第３レンズ群の間隔が増大し、
第１レンズ群が像側に凹面を向けた非球面の負レンズと、像側に凹面を向けたメニスカス形状の正レンズからなり、第２レンズ群が正レンズと両凸形状の正レンズと両凹形状の負レンズとの接合レンズからなり、第３レンズ群が、少なくとも１面の非球面を有する正レンズからなるズームレンズを開示している。
【先行技術文献】
【特許文献】
【０００８】
【特許文献１】特開２００６−２０８８９０号公報
【特許文献２】特開２００６−２２７１９７号公報
【特許文献３】特開２００８−１６４７２４号公報
【特許文献４】特開２００８−２０３４４９号公報
【発明の概要】
【発明が解決しようとする課題】
【０００９】
しかしながら、前記特許文献１〜４に開示のズームレンズはいずれも、薄型でコンパクトなデジタルカメラに適用し得る程度に小型化されたものではあるが、広角端での画角とズーミング比とのバランスという点で、近年の要求を満足し得るものではない。
【００１０】
本発明の目的は、小型でありながら、広角端での広い画角と高いズーミング比とをバランスよく備えた高性能なズームレンズ系、該ズームレンズ系を含む撮像装置、及び該撮像装置を備えた薄型でコンパクトなカメラを提供することである。
【課題を解決するための手段】
【００１１】
上記目的の１つは、以下のズームレンズ系により達成される。すなわち本発明は、
物体側から像側へと順に、負のパワーを有する第１レンズ群と、正のパワーを有する第２レンズ群と、正のパワーを有する第３レンズ群とからなり、
前記第１レンズ群が、負のパワーを有するレンズ素子と正のパワーを有するレンズ素子で構成され、
前記第２レンズ群が、物体側から順に、両レンズ面が凸面の正のパワーを有するレンズ素子、正のパワーを有するレンズ素子と負のパワーを有するレンズ素子の接合レンズの３枚のレンズ素子で構成され、
前記第３レンズ群は、少なくとも１枚の正のパワーを有するレンズ素子で構成され、
以下の条件（１）：
３．０＜Ｔ２／ｆｗ＜４．０  ・・・（１）
（ただし、Ｚ＝ｆｔ／ｆｗ＞４．５である）
（ここで、
Ｔ２：第２レンズ群の移動量、
ｆｗ：広角端での全系の焦点距離、
ｆｔ：望遠端での全系の焦点距離、
である）
を満足する、ズームレンズ系
に関する。
【００１２】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、負のパワーを有する第１レンズ群と、正のパワーを有する第２レンズ群と、正のパワーを有する第３レンズ群とからなり、
前記第１レンズ群が、負のパワーを有するレンズ素子と正のパワーを有するレンズ素子で構成され、
前記第２レンズ群が、物体側から順に、両レンズ面が凸面の正のパワーを有するレンズ素子、正のパワーを有するレンズ素子と負のパワーを有するレンズ素子の接合レンズの３枚のレンズ素子で構成され、
前記第３レンズ群は、少なくとも１枚の正のパワーを有するレンズ素子で構成され、
以下の条件（１）：
３．０＜Ｔ２／ｆｗ＜４．０  ・・・（１）
（ただし、Ｚ＝ｆｔ／ｆｗ＞４．５である）
（ここで、
Ｔ２：第２レンズ群の移動量、
ｆｗ：広角端での全系の焦点距離、
ｆｔ：望遠端での全系の焦点距離、
である）
を満足するズームレンズ系である、撮像装置
に関する。
【００１３】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、負のパワーを有する第１レンズ群と、正のパワーを有する第２レンズ群と、正のパワーを有する第３レンズ群とからなり、
前記第１レンズ群が、負のパワーを有するレンズ素子と正のパワーを有するレンズ素子で構成され、
前記第２レンズ群が、物体側から順に、両レンズ面が凸面の正のパワーを有するレンズ素子、正のパワーを有するレンズ素子と負のパワーを有するレンズ素子の接合レンズの３枚のレンズ素子で構成され、
前記第３レンズ群は、少なくとも１枚の正のパワーを有するレンズ素子で構成され、
以下の条件（１）：
３．０＜Ｔ２／ｆｗ＜４．０  ・・・（１）
（ただし、Ｚ＝ｆｔ／ｆｗ＞４．５である）
（ここで、
Ｔ２：第２レンズ群の移動量、
ｆｗ：広角端での全系の焦点距離、
ｆｔ：望遠端での全系の焦点距離、
である）
を満足するズームレンズ系である、カメラ
に関する。
【発明の効果】
【００１４】
本発明によれば、小型でありながら、広角端での広い画角と高いズーミング比とをバランスよく備えた高性能なズームレンズ系、該ズームレンズ系を含む撮像装置、及び該撮像装置を備えた薄型でコンパクトなカメラを提供することができる。
【図面の簡単な説明】
【００１５】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施の形態２（実施例２）に係るズームレンズ系の無限遠合焦状態を示すレンズ配置図
【図４】実施例２に係るズームレンズ系の無限遠合焦状態の縦収差図
【図５】実施の形態３（実施例３）に係るズームレンズ系の無限遠合焦状態を示すレンズ配置図
【図６】実施例３に係るズームレンズ系の無限遠合焦状態の縦収差図
【図７】実施の形態４（実施例４）に係るズームレンズ系の無限遠合焦状態を示すレンズ配置図
【図８】実施例４に係るズームレンズ系の無限遠合焦状態の縦収差図
【図９】実施の形態５（実施例５）に係るズームレンズ系の無限遠合焦状態を示すレンズ配置図
【図１０】実施例５に係るズームレンズ系の無限遠合焦状態の縦収差図
【図１１】実施の形態６に係るカメラシステムの概略構成図
【発明を実施するための形態】
【００１６】
（実施の形態１〜５）
図１、３、５、７、９は、それぞれ、実施の形態１、２、３、４、５に係るズームレンズ系のレンズ配置図であり、いずれも無限遠合焦状態にあるズームレンズ系を表している。
【００１７】
各図において、（ａ）図は広角端（最短焦点距離状態：焦点距離ｆW）のレンズ構成、（ｂ）図は、中間位置（中間焦点距離状態：焦点距離ｆM＝√（ｆW＊ｆt））のレンズ構成、（ｃ）図は望遠端（最長焦点距離状態：焦点距離ｆt）のレンズ構成をそれぞれ表している。また各図において、（ａ）図と（ｂ）図との間に設けられた直線乃至曲線の矢印は、上から順に、広角端、中間位置、望遠端への各レンズ群の動きを示す。更に各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１８】
実施の形態１〜５に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３とを備え、ズーミングに際して、各レンズ群の間隔、すなわち、前記第１レンズ群Ｇ１と第２レンズ群Ｇ２との間隔、第２レンズ群と第３レンズ群Ｇ３との間隔がいずれも変化するように、各レンズ群が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００１９】
図１、３、５、７、９において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（像面Ｓと第３レンズ群Ｇ３の最像側レンズ面との間）には、光学的ローパスフィルタや撮像素子のフェースプレート等と等価な平行平板Ｐが設けられている。
【００２０】
さらに図１、３、５、７、９において、第２レンズ群Ｇ２の最物体側に開口絞りＡが設けられており、該開口絞りＡは、撮像時の広角端から望遠端へのズーミングの際に、第２レンズ群Ｇ２と一体的に光軸上を移動する。
【００２１】
図１に示すように、実施の形態１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００２２】
実施の形態１に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とが接合されている。また、第３レンズ素子Ｌ３は、その物体側面が非球面である。
【００２３】
また、実施の形態１に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【００２４】
なお、実施の形態１に係るズームレンズ系において、像面Ｓの物体側（像面Ｓと第６レンズ素子Ｌ６との間）には、平行平板Ｐが設けられている。
【００２５】
実施の形態１に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に単調に物体側へ移動し、第３レンズ群Ｇ３は物体側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。
【００２６】
また、無限遠合焦状態から近接合焦状態へのフォーカシング時には、第３レンズ群Ｇ３が光軸に沿って物体側へと移動する。
【００２７】
図３に示すように、実施の形態２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００２８】
実施の形態２に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とが接合されている。また、第３レンズ素子Ｌ３は、その物体側面が非球面である。
【００２９】
また、実施の形態２に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【００３０】
なお、実施の形態２に係るズームレンズ系において、像面Ｓの物体側（像面Ｓと第６レンズ素子Ｌ６との間）には、平行平板Ｐが設けられている。
【００３１】
実施の形態２に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に単調に物体側へ移動し、第３レンズ群Ｇ３は物体側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。
【００３２】
また、無限遠合焦状態から近接合焦状態へのフォーカシング時には、第３レンズ群Ｇ３が光軸に沿って物体側へと移動する。
【００３３】
図５に示すように、実施の形態３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００３４】
実施の形態３に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とが接合されている。また、第３レンズ素子Ｌ３は、その物体側面が非球面である。
【００３５】
また、実施の形態３に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【００３６】
なお、実施の形態３に係るズームレンズ系において、像面Ｓの物体側（像面Ｓと第６レンズ素子Ｌ６との間）には、平行平板Ｐが設けられている。
【００３７】
実施の形態３に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に単調に物体側へ移動し、第３レンズ群Ｇ３は物体側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。
【００３８】
また、無限遠合焦状態から近接合焦状態へのフォーカシング時には、第３レンズ群Ｇ３が光軸に沿って物体側へと移動する。
【００３９】
図７に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００４０】
実施の形態４に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とが接合されている。また、第３レンズ素子Ｌ３は、その物体側面が非球面である。
【００４１】
また、実施の形態４に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【００４２】
なお、実施の形態４に係るズームレンズ系において、像面Ｓの物体側（像面Ｓと第６レンズ素子Ｌ６との間）には、平行平板Ｐが設けられている。
【００４３】
実施の形態４に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に単調に物体側へ移動し、第３レンズ群Ｇ３は物体側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。
【００４４】
また、無限遠合焦状態から近接合焦状態へのフォーカシング時には、第３レンズ群Ｇ３が光軸に沿って物体側へと移動する。
【００４５】
図９に示すように、実施の形態５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００４６】
実施の形態５に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とが接合されている。また、第３レンズ素子Ｌ３は、その物体側面が非球面である。
【００４７】
また、実施の形態５に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【００４８】
なお、実施の形態５に係るズームレンズ系において、像面Ｓの物体側（像面Ｓと第６レンズ素子Ｌ６との間）には、平行平板Ｐが設けられている。
【００４９】
実施の形態５に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に単調に物体側へ移動し、第３レンズ群Ｇ３は物体側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。
【００５０】
また、無限遠合焦状態から近接合焦状態へのフォーカシング時には、第３レンズ群Ｇ３が光軸に沿って物体側へと移動する。
【００５１】
また実施の形態１〜５に係るズームレンズ系では、撮像時の広角端から望遠端へのズーミングの際に、第１レンズ群Ｇ１、第２レンズ群Ｇ２、第３レンズ群Ｇ３を光軸に沿ってそれぞれ移動させてズーミングを行うが、これら第１レンズ群Ｇ１、第２レンズ群Ｇ２、第３レンズ群Ｇ３のうちのいずれかのレンズ群、あるいは、各レンズ群の一部のサブレンズ群を光軸に直交する方向に移動させることによって、全系の振動による像点移動を補正する、すなわち、手ぶれ、振動等による像のぶれを光学的に補正してもよい。
【００５２】
全系の振動による像点移動を補正する際に、例えば第２レンズ群Ｇ２が光軸に直交する方向に移動することにより、ズームレンズ系全体の大型化を抑制してコンパクトに構成しながら、偏心コマ収差や偏心非点収差が小さい優れた結像特性を維持して像ぶれの補正を行ってもよい。
【００５３】
なお、前記各レンズ群の一部のサブレンズ群とは、１つのレンズ群が複数のレンズ素子で構成される場合、該複数のレンズ素子のうち、いずれか１枚のレンズ素子又は隣り合った複数のレンズ素子をいう。
【００５４】
実施の形態１〜５に係るズームレンズ系では、第２レンズ群Ｇ２が、その中に１組の接合レンズ素子を含む３枚のレンズ素子で構成されているので、該第２レンズ群Ｇ２の厚みが小さく、光学全長が短いレンズ系となっている。
【００５５】
実施の形態１〜５に係るズームレンズ系では、第３レンズ群Ｇ３が１枚のレンズ素子で構成されているので、レンズ素子の総枚数が削減され、光学全長が短いレンズ系となっている。また、該第３レンズ群Ｇ３を構成する１枚のレンズ素子が、非球面を含む実施の形態では、収差をさらに良好に補正することができる。
【００５６】
以下、例えば実施の形態１〜５に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００５７】
各実施の形態に係るズームレンズ系は、以下の条件（１）を満足することが望ましい。
【００５８】
３．０＜Ｔ２／ｆｗ＜４．０  ・・・（１）
（ただし、Ｚ＝ｆｔ／ｆｗ＞４．５である）
ここで、
Ｔ２：第２レンズ群の移動量、
ｆｗ：広角端での全系の焦点距離、
ｆｔ：望遠端での全系の焦点距離、
である。
【００５９】
前記条件（１）は、第２レンズ群の移動量と広角端での全系の焦点距離との比を規定する。条件（１）の上限を超えると、ズーミングにおける第２レンズ群の移動量が大きくなるので、所望のズーム比を確保し易くなるが、コンパクトなズームレンズ系を達成することが困難になる恐れがある。また、条件（１）の下限を下回ると、ズーミングにおける第２レンズ群の移動量が小さくなるため、光学系全体のコンパクト化には有利になるが、各レンズ群が少ない移動量で所望のズーム比を確保するためには、各レンズ群のパワーを強くする必要があるので、非点収差、コマ収差等の軸外諸収差の補正が困難になる恐れがある。
【００６０】
なお、さらに以下の条件（１）’及び（１）’’の少なくとも１つを満足することにより、前記効果をさらに奏功させることができる。
【００６１】
３．３＜Ｔ２／ｆｗ  ・・・（１）’
Ｔ２／ｆｗ＜３．７  ・・・（１）’’
各実施の形態に係るズームレンズ系は、以下の条件（２）を満足することが望ましい。
【００６２】
０．２８  ＜  １−β３ｔ×β３ｔ  ＜  ０．３７  ・・・（２）
ここで、
β３ｔ：望遠端での第３レンズ群の横倍率
である。
【００６３】
前記条件（２）は、望遠端での第３レンズ群の適切な横倍率を規定する。条件（２）の上限を超えると、第３レンズ群のパワーが強くなるので、非点収差、コマ収差等の軸外諸収差の補正が困難になる恐れがある。また、条件（２）の下限を下回ると、第３レンズ群のフォーカシング時の移動量が増大するので、第３レンズ群の駆動機構の小型化、さらにはコンパクトなズームレンズ系を達成することが困難になる恐れがある。
【００６４】
各実施の形態に係るズームレンズ系は、以下の条件（３）を満足することが望ましい。
【００６５】
０．６＜ＤＬ１／ｆｗ＜０．８  ・・・（３）
ここで、
ＤＬ１：第１レンズ群の最も物体側のレンズ面から最も像側のレンズ面までの距離、
ｆｗ：広角端での全系の焦点距離、
である。
【００６６】
前記条件（３）は、第１レンズ群の最も物体側のレンズ面から最も像側のレンズ面までの距離と広角端での全系の焦点距離との比を規定する。コンパクト化のため、不使用時にレンズ筐体内に引き込んで収納される、いわゆる沈胴式カメラにおいては、沈胴時の鏡筒を薄型化するためには、第１レンズ群の全長を可能な限り短くすることが好ましい。
【００６７】
条件（３）の上限を超えると、第１レンズ群の厚みが増大するので、コンパクトなズームレンズ系を達成することが困難になる恐れがある。また、条件（３）の下限を下回ると、光学系全体のコンパクト化には良いが、望遠端での球面収差の補正が困難になる恐れがある。
【００６８】
各実施の形態に係るズームレンズ系は、以下の条件（４）を満足することが望ましい。
【００６９】
６．６＜ＴＴ／ｆｗ＜７．５  ・・・（４）
ここで、
ＴＴ：望遠端での光学全長
ｆｗ：広角端での全系の焦点距離、
である。
【００７０】
条件（４）は、望遠端での適切な光学全長を規定する。条件（４）の上限を超えると、コンパクトなズームレンズ系を達成することが困難になる恐れがある。また、条件（４）の下限を下回ると、光学系全体のコンパクト化には有利になるが、各レンズ群が少ない移動量で所望のズーム比を確保するためには、各レンズ群のパワーを強くする必要があるので、非点収差、コマ収差等の軸外諸収差の補正が困難になる恐れがある。
【００７１】
なお、各実施の形態に係るズームレンズ系の各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【００７２】
さらに各実施の形態では、像面Ｓの物体側（像面Ｓと第３レンズ群Ｇ３の最像側レンズ面との間）には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【００７３】
（実施の形態６）
図１１は、実施の形態６に係るカメラシステムの概略構成図である。図１１において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図１１において、ズームレンズ系１は、第１レンズ群Ｇ１と、開口絞りＡと、第２レンズ群Ｇ２と、第３レンズ群Ｇ３とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【００７４】
鏡筒は、主鏡筒５と、移動鏡筒６と、円筒カム７とで構成されている。円筒カム７を回転させると、第１レンズ群Ｇ１と、開口絞りＡと、第２レンズ群Ｇ２と、第３レンズ群Ｇ３が撮像素子２を基準にした所定の位置に移動し、広角端から望遠端までのズーミングを行うことができる。第３レンズ群Ｇ３はフォーカス調整用モータにより光軸方向に移動可能である。
【００７５】
こうして、デジタルスチルカメラに実施の形態１に係るズームレンズ系を用いることにより、解像度及び像面湾曲を補正する能力が高く、非使用時の光学全長が短い小型のデジタルスチルカメラを提供することができる。なお、図１１に示したデジタルスチルカメラには、実施の形態１に係るズームレンズ系の替わりに実施の形態２〜５に係るズームレンズ系のいずれかを用いてもよい。また、図１１に示したデジタルスチルカメラの光学系は、動画像を対象とするデジタルビデオカメラに用いることもできる。この場合、静止画像だけでなく、解像度の高い動画像を撮影することができる。
【００７６】
なお、本実施の形態１に係るデジタルスチルカメラでは、ズームレンズ系１として実施の形態１〜５に係るズームレンズ系を示したが、これらのズームレンズ系は、全てのズーミング域を使用する必要はない。すなわち、所望のズーミング域に応じて、光学性能が確保されている範囲を切り出し、実施の形態１〜５で説明したズームレンズ系よりも低倍率のズームレンズ系として使用してもよい。
【００７７】
さらに、実施の形態６では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態６において、第２レンズ群Ｇ２全体、第３レンズ群Ｇ３全体、第２レンズ群Ｇ２あるいは第３レンズ群Ｇ３の一部等のズームレンズ系を構成している一部のレンズ群を、沈胴時に光軸上から退避させる、いわゆるスライディング鏡筒にズームレンズ系を適用してもよい。
【００７８】
また、以上説明した実施の形態１〜５に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｔ）、監視システムにおける監視カメラ、Ｗｅｂカメラ、車載カメラ等に適用することもできる。
【００７９】
以下、実施の形態１〜５に係るズームレンズ系を具体的に実施した数値実施例を説明する。後述するように、数値実施例１〜５は、それぞれ実施の形態１〜５に対応する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【００８０】
【数１】
2011064933.tif 000003
【００８１】
ここで、κは円錐定数、ｈは光軸からの高さ、Ａ４、Ａ６、Ａ８、Ａ１０、Ａ１２、Ａ１４及びＡ１６は、それぞれ４次、６次、８次、１０次、１２次、１４次及び１６次の非球面係数である。
【００８２】
図２、４、６、８、１０は、それぞれ数値実施例１、２、３、４、５に係るズームレンズ系の無限遠合焦状態の縦収差図である。
【００８３】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００８４】
数値実施例１のズームレンズ系は、図１に示した実施の形態１に対応する。数値実施例１のズームレンズ系の面データを表１に、非球面データを表２に、各種データを表３に、単レンズデータを表４に、ズームレンズ群データを表５に、ズームレンズ群倍率を表６に示す。
表１  （面データ）
面番号         r           d           nd         vd
物面             ∞
1*       163.54000     0.50000     1.80470    41.0
2*         6.09800     1.64500
3          8.15700     1.50300     1.92286    20.9
4         13.46100        可変
5(絞り)           ∞     0.00000
6*         7.07100     1.81100     1.58313    59.4
7        -14.10000     0.24000
8         11.77300     1.64300     1.78590    43.9
9         -4.00000     0.40000     1.64769    33.8
10          4.03500        可変
11*        64.17100     1.31900     1.54410    56.1
12*       -16.62900        可変
13               ∞     0.78000     1.51680    64.2
14               ∞      BF
像面             ∞
表２  （非球面データ）
第1面
K= 0.00000E+00, A4= 1.33998E-04, A6=-1.25376E-06, A8= 1.09259E-08
A10= 0.00000E+00, A12= 0.00000E+00, A14= 0.00000E+00, A16= 0.00000E+00 
第2面
K=-9.31371E-01, A4= 4.48489E-04, A6= 1.09330E-05, A8=-9.82590E-08
A10=-8.20374E-10, A12= 1.50607E-10, A14=-1.23629E-12, A16= 0.00000E+00 
第6面
K= 0.00000E+00, A4=-1.49325E-03, A6= 1.41172E-06, A8=-8.46658E-06
A10=-6.40579E-07, A12= 2.79198E-07, A14=-2.16121E-08, A16=-2.43049E-10 
第11面
K= 0.00000E+00, A4=-2.70487E-04, A6= 6.27778E-05, A8=-5.75946E-06
A10= 2.50174E-07, A12=-4.60391E-09, A14= 0.00000E+00, A16= 0.00000E+00 
第12面
K= 0.00000E+00, A4=-5.27497E-05, A6= 3.07633E-05, A8=-1.76586E-06
A10=-8.84730E-09, A12= 3.06618E-09, A14=-5.24434E-11, A16=-1.19081E-12
表３  （各種データ）
ズーム比     4.67915
広角      中間      望遠
焦点距離       5.1479   11.0748   24.0877
Ｆナンバー     2.88338   4.04629   6.91128
画角        39.8684   19.6095    9.1739
像高         3.7000    3.9000    3.9000
レンズ全長     35.5239   29.4338   36.9010
ＢＦ        0.89100   0.85475   0.81896
d4          16.8512    5.0810    0.3000 
d10          3.8966    8.9151   22.7662 
d12          4.0441    4.7420    3.1748 
入射瞳位置      7.9814    4.8821    2.3862
射出瞳位置    -13.7843  -27.6095  583.5236
前側主点位置   11.3235   11.6480   27.4696
後側主点位置   30.3760   18.3590   12.8133
表４  （単レンズデータ）
レンズ     始面     焦点距離
1         1       -7.8826
2         3       19.7465
3         6        8.3387
4         8        3.9815
5         9       -3.0418
6        11       24.4129
表５  （ズームレンズ群データ）
群   始面    焦点距離  レンズ構成長    前側主点位置  後側主点位置
1      1   -13.78968     3.64800        -0.11410       0.89398
2      5    10.35252     4.09400        -1.70189       0.60934
3     11    24.41295     1.31900         0.68234       1.14218
表６  （ズームレンズ群倍率）
群   始面    広角       中間       望遠
1      1    0.00000    0.00000    0.00000
2      5   -0.48511   -1.08174   -2.16160
3     11    0.76954    0.74244    0.80810
数値実施例２のズームレンズ系は、図３に示した実施の形態２に対応する。数値実施例２のズームレンズ系の面データを表７に、非球面データを表８に、各種データを表９に、単レンズデータを表１０に、ズームレンズ群データを表１１に、ズームレンズ群倍率を表１２に示す。
表７  （面データ）
面番号         r           d           nd         vd
物面             ∞
1*       458.19200     0.50000     1.80470    41.0
2*         6.46800     1.60600
3          8.03900     1.46900     1.92286    20.9
4         12.58000        可変
5(絞り)           ∞     0.00000
6*         6.95400     1.45800     1.58313    59.4
7        -14.57100     0.24000
8         11.82600     1.93400     1.78590    43.9
9         -4.00000     0.40000     1.64769    33.8
10          4.00400        可変
11*      -134.25100     1.23000     1.54410    56.1
12*       -12.42600        可変
13               ∞     0.78000     1.51680    64.2
14               ∞      BF
像面             ∞
表８  （非球面データ）
第1面
K= 0.00000E+00, A4= 3.02504E-04, A6=-5.49363E-06, A8= 4.85888E-08
A10= 0.00000E+00, A12= 0.00000E+00, A14= 0.00000E+00, A16= 0.00000E+00 
第2面
K=-7.39315E-01, A4= 5.03597E-04, A6= 1.44877E-05, A8=-4.92975E-07
A10= 6.68245E-09, A12= 1.50607E-10, A14=-1.23629E-12, A16= 0.00000E+00 
第6面
K= 0.00000E+00, A4=-1.50551E-03, A6= 1.17906E-05, A8=-7.96281E-06
A10=-5.16110E-07, A12= 2.27663E-07, A14=-2.16121E-08, A16=-2.43049E-10 
第11面
K= 0.00000E+00, A4=-2.70487E-04, A6= 6.27778E-05, A8=-5.75946E-06
A10= 2.50174E-07, A12=-4.60391E-09, A14= 0.00000E+00, A16= 0.00000E+00 
第12面
K= 0.00000E+00, A4= 8.40144E-05, A6= 3.87314E-05, A8=-2.48703E-06
A10=-4.32692E-08, A12= 6.99092E-09, A14=-5.58910E-11, A16=-4.86365E-12
表９  （各種データ）
ズーム比     4.68494
広角      中間      望遠
焦点距離       5.1564   11.0808   24.1574
Ｆナンバー     2.93114   4.08883   6.98754
画角        39.8250   19.3852    9.0634
像高         3.7000    3.9000    3.9000
レンズ全長     35.2788   28.7057   35.4919
ＢＦ        0.89586   0.86766   0.85347
d4          17.0445    5.1496    0.3000 
d10          3.9162    8.4501   21.6247 
d12          3.8052    4.6213    3.0967 
入射瞳位置      8.1127    4.9499    2.3688
射出瞳位置    -13.4490  -25.5241 -971.9633
前側主点位置   11.4156   11.3784   25.9263
後側主点位置   30.1224   17.6249   11.3345
表１０  （単レンズデータ）
レンズ     始面     焦点距離
レンズ     始面     焦点距離
1         1       -8.1569
2         3       20.8889
3         6        8.2792
4         8        4.0195
5         9       -3.0299
6        11       25.0779
表１１  （ズームレンズ群データ）
群   始面    焦点距離  レンズ構成長    前側主点位置  後側主点位置
1      1   -13.85196     3.57500        -0.00487       1.01052
2      5    10.06770     4.03200        -1.88493       0.49884
3     11    25.07791     1.23000         0.87472       1.31096
表１２（ズームレンズ群倍率）
群   始面    広角       中間       望遠
1      1    0.00000    0.00000    0.00000
2      5   -0.46808   -1.04726   -2.11338
3     11    0.79526    0.76385    0.82521
数値実施例３のズームレンズ系は、図５に示した実施の形態３に対応する。数値実施例３のズームレンズ系の面データを表１３に、非球面データを表１４に、各種データを表１５に、単レンズデータを表１６に、ズームレンズ群データを表１７に、ズームレンズ群倍率を表１８に示す。
表１３  （面データ）
面番号         r           d           nd         vd
物面             ∞
1*       154.04100     0.50000     1.80470    41.0
2*         6.05900     1.68600
3          8.17000     1.63400     1.92286    20.9
4         13.50500        可変
5(絞り)           ∞     0.00000
6*         6.94700     1.66500     1.58313    59.4
7        -15.48800     0.24000
8         11.37400     1.60500     1.78590    43.9
9         -4.00000     0.40000     1.64769    33.8
10          4.01800     0.00000
11               ∞        可変
12*        39.71300     1.41100     1.54410    56.1
13*       -18.20700        可変
14               ∞     0.78000     1.51680    64.2
15               ∞      BF
像面             ∞
表１４  （非球面データ）
第1面
K= 0.00000E+00, A4= 1.45483E-04, A6=-1.29783E-06, A8= 7.95101E-09
A10= 0.00000E+00, A12= 0.00000E+00, A14= 0.00000E+00, A16= 0.00000E+00 
第2面
K=-8.81845E-01, A4= 4.41184E-04, A6= 9.94604E-06, A8=-6.23346E-09
A10=-3.31695E-09, A12= 1.50607E-10, A14=-1.23629E-12, A16= 0.00000E+00 
第6面
K= 0.00000E+00, A4=-1.46788E-03, A6=-1.77399E-05, A8=-2.01556E-06
A10=-1.90543E-06, A12= 4.07371E-07, A14=-2.70026E-08, A16=-2.43049E-10 
第12面
K= 0.00000E+00, A4=-2.70487E-04, A6= 6.27778E-05, A8=-5.75946E-06
A10= 2.50174E-07, A12=-4.60391E-09, A14= 0.00000E+00, A16= 0.00000E+00 
第13面
K= 0.00000E+00, A4=-3.99541E-05, A6= 2.15038E-05, A8=-2.80841E-07
A10=-1.01407E-07, A12= 3.44688E-09, A14= 1.25866E-10, A16=-6.24311E-12
表１５  （各種データ）
ズーム比     4.66903
広角      中間      望遠
焦点距離       5.1438   11.0662   24.0167
Ｆナンバー     2.90387   4.08524   6.98918
画角        39.9034   19.6528    9.1953
像高         3.7000    3.9000    3.9000
レンズ全長     35.5165   29.6852   37.5659
ＢＦ        0.88587   0.84694   0.80934
d4          16.6740    5.0073    0.3000 
d11          4.0788    9.2447   23.2986 
d13          3.9568    4.6653    3.2370 
入射瞳位置      7.9741    4.8981    2.4531
射出瞳位置    -14.0944  -29.6164  215.3846
前側主点位置   11.3517   11.9444   29.1579
後側主点位置   30.3726   18.6191   13.5492
表１６  （単レンズデータ）
レンズ     始面     焦点距離
1         1       -7.8496
2         3       19.5382
3         6        8.4555
4         8        3.9468
5         9       -3.0353
6        12       23.1424
表１７  （ズームレンズ群データ）
群   始面    焦点距離  レンズ構成長    前側主点位置  後側主点位置
1      1   -13.75680     3.82000        -0.09143       0.99806
2      5    10.43510     3.91000        -1.71915       0.49366
3     12    23.14238     1.41100         0.63198       1.12126
表１８  （ズームレンズ群倍率）
群   始面    広角       中間       望遠
1      1    0.00000    0.00000    0.00000
2      5   -0.49459   -1.10637   -2.20872
3     12    0.75600    0.72707    0.79041
数値実施例４のズームレンズ系は、図７に示した実施の形態４に対応する。数値実施例４のズームレンズ系の面データを表１９に、非球面データを表２０に、各種データを表２１に、単レンズデータを表２２に、ズームレンズ群データを表２３に、ズームレンズ群倍率を表２４に示す。
表１９  （面データ）
面番号         r           d           nd         vd
物面             ∞
1*       159.85500     0.50000     1.80470    41.0
2*         6.07900     1.75300
3          8.39200     1.69500     1.92286    20.9
4         14.11600        可変
5(絞り)           ∞     0.00000
6*         6.96300     1.64000     1.58313    59.4
7        -13.39900     0.24000
8         13.78900     1.91400     1.78590    43.9
9         -4.00000     0.40000     1.64769    33.8
10          4.11200        可変
11*        33.66400     1.49600     1.54410    56.1
12*       -18.05200        可変
13               ∞     0.78000     1.51680    64.2
14               ∞      BF
像面             ∞
表２０  （非球面データ）
第1面
K= 0.00000E+00, A4= 1.04291E-04, A6=-1.34755E-07, A8=-3.56844E-09
A10= 0.00000E+00, A12= 0.00000E+00, A14= 0.00000E+00, A16= 0.00000E+00 
第2面
K=-7.57710E-01, A4= 3.02401E-04, A6= 1.06437E-05, A8=-3.34889E-08
A10=-3.28009E-09, A12= 1.50607E-10, A14=-1.23629E-12, A16= 0.00000E+00 
第6面
K= 0.00000E+00, A4=-1.49369E-03, A6= 4.83597E-07, A8=-5.59924E-06
A10=-1.05665E-06, A12= 3.11365E-07, A14=-2.16121E-08, A16=-2.43049E-10 
第11面
K= 0.00000E+00, A4=-2.70487E-04, A6= 6.27778E-05, A8=-5.75946E-06
A10= 2.50174E-07, A12=-4.60391E-09, A14= 0.00000E+00, A16= 0.00000E+00 
第12面
K= 0.00000E+00, A4=-4.66360E-05, A6= 1.85413E-05, A8= 4.78216E-07
A10=-1.69571E-07, A12= 6.28231E-09, A14= 7.21213E-11, A16=-5.83087E-12
表２１  （各種データ）
ズーム比     4.72730
広角      中間      望遠
焦点距離       5.1493   11.0907   24.3423
Ｆナンバー     2.87281   4.07992   7.08616
画角        39.8292   19.5885    9.0796
像高         3.7000    3.9000    3.9000
レンズ全長     35.5234   29.9678   37.9827
ＢＦ        0.89317   0.85790   0.85005
d4          16.4973    4.9904    0.3000 
d10          3.8991    9.3494   23.6503 
d12          3.8158    4.3521    2.7644 
入射瞳位置      7.9475    4.9144    2.5080
射出瞳位置    -14.0653  -31.9566  124.0248
前側主点位置   11.3242   12.2567   31.6610
後側主点位置   30.3741   18.8771   13.6404
表２２  （単レンズデータ）
レンズ     始面     焦点距離
1         1       -7.8644
2         3       19.6349
3         6        8.0977
4         8        4.1413
5         9       -3.0710
6        11       21.8191
表２３  （ズームレンズ群データ）
群   始面    焦点距離  レンズ構成長    前側主点位置  後側主点位置
1      1   -13.83658     3.94800        -0.14177       0.97057
2      5    10.45128     4.19400        -1.93920       0.52801
3     11    21.81911     1.49600         0.63716       1.15433
表２４  （ズームレンズ群倍率）
群   始面    広角       中間       望遠
1      1    0.00000    0.00000    0.00000
2      5   -0.49956   -1.11019   -2.21259
3     11    0.74495    0.72199    0.79512
数値実施例５のズームレンズ系は、図９に示した実施の形態５に対応する。数値実施例５のズームレンズ系の面データを表２５に、非球面データを表２６に、各種データを表２７に、単レンズデータを表２８に、ズームレンズ群データを表２９に、ズームレンズ群倍率を表３０に示す。
表２５  （面データ）
面番号         r           d           nd         vd
物面             ∞
1*       155.39300     0.50000     1.80470    41.0 
2*         5.97900     1.62700 
3          8.11500     1.71500     1.92286    20.9 
4         13.63500        可変
5(絞り)           ∞     0.00000
6*         7.23400     1.95700     1.58313    59.4 
7        -16.19100     0.01500 
8         10.52800     1.64500     1.78590    43.9 
9         -4.05800     0.40000     1.64769    33.8 
10          4.04900        可変
11*        36.95800     1.41100     1.54410    56.1 
12*       -18.69200        可変
13               ∞     0.78000     1.51680    64.2
14               ∞      BF
像面             ∞
表２６  （非球面データ）
第1面
K= 0.00000E+00, A4= 1.29665E-04, A6=-5.61887E-07, A8=-3.51808E-09
A10= 0.00000E+00, A12= 0.00000E+00, A14= 0.00000E+00, A16= 0.00000E+00 
第2面
K=-9.79570E-01, A4= 4.89847E-04, A6= 9.59554E-06, A8= 9.21325E-08
A10=-6.15156E-09, A12= 1.50607E-10, A14=-1.23629E-12, A16= 0.00000E+00 
第6面
K= 0.00000E+00, A4=-1.39702E-03, A6=-9.01627E-06, A8=-5.96860E-06
A10=-1.19636E-06, A12= 3.43725E-07, A14=-2.42928E-08, A16=-2.43049E-10 
第11面
K= 0.00000E+00, A4=-2.70487E-04, A6= 6.27778E-05, A8=-5.75946E-06
A10= 2.50174E-07, A12=-4.60391E-09, A14= 0.00000E+00, A16= 0.00000E+00 
第12面
K= 0.00000E+00, A4=-4.62080E-05, A6= 2.59467E-05, A8=-8.63373E-07
A10=-8.01934E-08, A12= 4.92990E-09, A14=-1.39906E-11, A16=-3.17027E-12
表２７  （各種データ）
ズーム比     4.73820
広角      中間      望遠
焦点距離       5.1501   11.0955   24.4024
Ｆナンバー     2.89961   4.09495   7.10019
画角        39.8678   19.6104    9.0498
像高         3.7000    3.9000    3.9000
レンズ全長     35.5252   29.9916   37.9914
ＢＦ        0.89487   0.86361   0.85863
d4          16.4370    4.9598    0.3000 
d10          4.1705    9.5934   24.0835 
d12          3.9728    4.5248    2.6993 
入射瞳位置      7.9342    4.8793    2.4436
射出瞳位置    -14.3020  -31.0804  165.9003
前側主点位置   11.3390   12.1209   30.4540
後側主点位置   30.3750   18.8961   13.5890
表２８  （単レンズデータ）
レンズ     始面     焦点距離
1         1       -7.7390
2         3       18.9019
3         6        8.8467
4         8        3.9216
5         9       -3.0696
6        11       23.0207
表２９  （ズームレンズ群データ）
群   始面    焦点距離  レンズ構成長    前側主点位置  後側主点位置
1      1   -13.68637     3.84200        -0.05525       1.08502
2      5    10.43563     4.01700        -1.56886       0.70853
3     11    23.02067     1.41100         0.61234       1.10130
表３０  （ズームレンズ群倍率）
群   始面    広角       中間       望遠
1      1    0.00000    0.00000    0.00000
2      5   -0.49989   -1.11033   -2.20214
3     11    0.75276    0.73014    0.80965
以下の表３１に、各数値実施例に係るズームレンズ系における各条件の対応値を示す。
【００８５】
【表３１】
2011064933.tif 000004
【産業上の利用可能性】
【００８６】
本発明に係るズームレンズ系は、デジタルスチルカメラ、デジタルビデオカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルスチルカメラ、デジタルビデオカメラ等の高画質が要求される撮影光学系に好適である。
【符号の説明】
【００８７】
Ｇ１  第１レンズ群
Ｇ２  第２レンズ群
Ｇ３  第３レンズ群
Ｌ１  第１レンズ素子
Ｌ２  第２レンズ素子
Ｌ３  第３レンズ素子
Ｌ４  第４レンズ素子
Ｌ５  第５レンズ素子
Ｌ６  第６レンズ素子
Ａ  開口絞り
Ｐ  平行平板
Ｓ  像面
１  ズームレンズ系
２  撮像素子
３  液晶モニタ
４  筐体
５  主鏡筒
６  移動鏡筒
７  円筒カム
【図１】
2011064933.tif 000005
【図２】
2011064933.tif 000006
【図３】
2011064933.tif 000007
【図４】
2011064933.tif 000008
【図５】
2011064933.tif 000009
【図６】
2011064933.tif 000010
【図７】
2011064933.tif 000011
【図８】
2011064933.tif 000012
【図９】
2011064933.tif 000013
【図１０】
2011064933.tif 000014
【図１１】
2011064933.tif 000015